(57)【要約】【課題】  フレームバッファを持ち、表示している画像を不揮発性のメモリに転送する機能を持つ画像表示装置に関して、転送中、表示画像が静止したままとなる問題を解消する。【解決手段】  通常または不揮発性メモリへの画像転送直前は、画像表示用に２つのフレームバッファ領域１０１、１０２をダブルバッファ方式で使用し、不揮発性メモリへ画像を転送する際は、シングルバッファ方式に変更して一方のフレームバッファ領域１０１を使用し、画像表示用に使用しなくなった他方のフレームバッファ領域１０２から不揮発性メモリＮＶＲＡＭへの画像の転送を行なう。【選択図】図１
2006171488.tif 000002
【特許請求の範囲】
【請求項１】
フレーム毎に入力される入力画像信号を処理して画像を表示する画像表示装置であって、
前記入力画像信号の１フレームの画像データを格納する第１および第２の領域を有するフレームバッファと、
該フレームバッファに対する読み書きを、該フレームバッファに対する読み込みの際にフレームの途中で時間的に異なるフレームに切り替わらないように、読み込み対象領域と書き込み領域とをそれぞれのフレーム周期毎に前記第１および第２の領域から選択する第１のモードと、前記フレームバッファに対する読み込みと書き込みとを、前記第１および第２の領域の一方に対してのみ行なう第２のモードとから選択される一方のモードで制御するフレームバッファ制御部と、
不揮発性メモリと、
前記フレームバッファから画像データを読み取って前記不揮発性メモリへ転送する画像キャプチャ部と、
前記フレームバッファから読み出された画像データまたは該画像データに対し画像処理を行なった後の画像の表示を行なう表示部と、を備え、
前記フレームバッファの画像を前記不揮発性メモリへ転送する要求が発生したとき、
前記フレームバッファ制御部は、前記第１および第２の領域のうち一方を選択して前記第２のモードで前記フレームバッファへの読み書きを制御し、
前記画像キャプチャ部は、前記第１および第２の領域のうち他方の領域に書き込まれている画像データを読み取って前記不揮発性メモリへ転送する、
ことを特徴とする画像表示装置。
【請求項２】
前記フレームバッファ制御部は、前記第２のモードで動作中に前記転送要求が発生したとき、前記フレームバッファに少なくとも１フレームの書き込みをする間、動作モードを前記第１のモードに切り替えた後、前記第１のモードで１フレームが書き込まれた領域の１つを前記他方の領域として再度前記第２のモードに切り替えるとともに前記画像キャプチャ部に対して前記他方の領域を通知し、前記画像キャプチャ部は、この通知を受け取った後、通知された領域の画像データを前記不揮発性メモリへ転送することを特徴とする請求項１に記載の画像表示装置。
【請求項３】
前記表示部は、前記画像キャプチャ部が画像データの転送中である場合、画像データの転送中であることを示す表示を行なうことを特徴とする請求項１または２に記載の画像表示装置。
【発明の詳細な説明】
【技術分野】
【０００１】
本発明は、液晶プロジェクタ等の画像表示装置における、入力画像を不揮発性メモリにキャプチャする際のフレームバッファ制御に関する。
【背景技術】
【０００２】
ビデオやＰＣから映像または画像（以下、画像で代表する）信号を受け取り、スクリーンに画像を投影する液晶プロジェクタが開発されている。液晶プロジェクタの用途としては、ビジネスユースのプレゼンテーションに用いる表示機器、またはホームユースのホームシアタにおける表示機器等が挙げられる。このような用途では、液晶プロジェクタの起動時等に、企業のロゴや好みの画像等を表示したいという要望が存在している。
【０００３】
現在の液晶プロジェクタでは、入力される画像の内のあるフレームの一部、もしくは全部をキャプチャし、液晶プロジェクタ内部、もしくは外部の不揮発性メモリ（ＮＶＲＡＭ）に格納する機能を持つものが多い。この機能により、液晶プロジェクタ起動時等に、不揮発性メモリに格納されたロゴや画像を自由に表示でき、それによるユーザメリットは大きい。
【０００４】
通常、液晶プロジェクタにはフレームバッファと呼ばれる一種のビデオＲＡＭが用意され、入力画像信号のフレーム周期でフレーム全体が格納されるという構造になっていることが多い。特にフレームバッファの構成として、２フレームを格納できるように領域を用意し、読み書きを非同期に行なうダブルバッファリング方式を用いる場合が多い。図２にダブルバッファリング方式の概要を示す。２００がフレームバッファ全体であり、２０１と２０２とがそれぞれ１フレームを格納する領域である。
【０００５】
上記キャプチャとは、フレームバッファ中の特定フレームの画像の一部ないし全部を不揮発性メモリに転送することである。不揮発性メモリに画像を転送するには時間がかかることが多い。そのため従来技術では、キャプチャしたいフレームがフレームバッファに格納された状態で入力画像信号のフレームバッファへの書き込みを停止させ、その間にフレームバッファから不揮発性メモリに画像データを転送していた。図３に概要図を示す。３００がフレームバッファ全体であり、書き込みが停止されている。３０１と３０２は同様にそれぞれ１フレームを格納する領域である。
【０００６】
図６に従来技術での表示画面例を示す。６００が表示画面全体を示し、６０１が画面キャプチャ確認画像を示す。６０２が画面キャプチャを行なう選択肢、６０３が画面キャプチャをキャンセルする選択肢である。ここでは、メニュー以外の表示画像は動画であるとする。
【０００７】
図７に従来技術での画面キャプチャを実行した場合の表示画面例を示す。７００が表示画面全体を示し、７０１がキャプチャ中であることを示すメッセージである。前述のとおり、この間はフレームバッファへの書き込みを停止し、不揮発性メモリにデータを転送しているため、入力画像は動画であるにも関わらず、表示画像は静止画になっている。
【０００８】
図８に従来技術での画面キャプチャの終了時の表示画面例を示す。８００が表示画面全体を示し、８０１がキャプチャ終了であることを示すメッセージである。ここで、フレームバッファへの書き込みが再開されたため、再び表示画像は動画となる。
【特許文献１】特開２００１−３３２００６号公報
【発明の開示】
【発明が解決しようとする課題】
【０００９】
上述のような従来技術では、キャプチャ時間中はユーザは待機させられ、液晶プロジェクタ等の画像表示装置に動画が入力されていても静止画が投影されている状態となり、ユーザに不安感や、不便感を抱かせる原因となっていた。
【００１０】
本発明は、上述の従来技術における課題を解決するためになされたものである。すなわち、本発明によれば、キャプチャ中でも静止画でなく動画を表示させる、使いやすい画像表示装置を実現することを課題とする。
【課題を解決するための手段】
【００１１】
上記の課題を解決するために、本発明の画像表示装置は、フレーム毎に入力される入力画像信号を処理して画像を表示する画像表示装置であって、前記入力画像信号に含まれる１フレームの画像のデータを格納する第１および第２の領域を有するフレームバッファと、該フレームバッファに対する読み書きを、該フレームバッファに対する読み込みの際にフレームの途中で時間的に異なるフレームに切り替わらないように、読み込み対象領域と書き込み領域とをそれぞれのフレーム周期毎に前記第１および第２の領域から選択する第１のモードと、前記フレームバッファに対する読み込みと書き込みとを、前記第１および第２の領域の一方に対してのみ行なう第２のモードとから選択される一方のモードで制御するフレームバッファ制御部と、不揮発性メモリと、前記フレームバッファから画像データを読み取って前記不揮発性メモリへ転送する画像キャプチャ部と、前記フレームバッファから読み出された画像データまたは該画像データに対し画像処理を行なった後の画像の表示を行なう表示部と、を備え、前記フレームバッファの画像を前記不揮発性メモリへ転送する要求が発生したとき、前記フレームバッファ制御部は、前記第１および第２の領域のうち一方の領域を選択して前記第２のモードで前記フレームバッファへの読み書きを制御し、前記画像キャプチャ部は、前記第１および第２の領域のうち他方の領域に書き込まれている画像データを読み取って前記不揮発性メモリへ転送する、ことを特徴とする。
【発明の効果】
【００１２】
本発明によれば、表示画像を不揮発性メモリに転送する間も、シングルバッファリング方式により動画を表示することができ、表示画像が静止画になることはない。したがって、ユーザに不安感や、不便感を抱かせることもない。
【発明を実施するための最良の形態】
【００１３】
以下、本発明の好ましい実施の形態を列挙する。
［実施形態１］
フレーム毎に入力される入力画像信号を処理して画像を表示する画像表示装置であって、
前記入力画像の１フレームを格納する第１の領域および第２の領域からなるフレームバッファと、
不揮発性メモリと、
前記フレームバッファに対する読み書きを制御する第１の制御モードと、第２の制御モードとを持ち、かつそれらを選択可能なフレームバッファ制御部と、
前記フレームバッファ制御部の制御モードに従って、前記入力画像信号の表す入力画像を前記フレームバッファに書き込む画像書き込み部と、
前記フレームバッファ制御部の制御モードに従って、前記フレームバッファから画像を読み取り出力画像として出力する画像読み込み部と、
前記フレームバッファから画像を読み取り、前記不揮発性メモリへ画像を転送する画像キャプチャ部と、
前記フレームバッファの画像を前記不揮発性メモリへ転送する要求を受け付けてフレームバッファ制御部に通知する画像キャプチャ受付部と、
前記出力画像、もしくは前記出力画像に対し画像処理を行なった後の画像の表示を行なう表示部と、を備え、
前記第１の制御モードは、前記フレームバッファに対する読み込みの際にフレームの途中で時間的に異なるフレームに切り替わらないように、読み込み対象領域と書き込み領域とをそれぞれのフレーム周期毎に前記第１の領域および前記第２の領域から選択するモードであり、
前記第２の制御モードは、前記フレームバッファにおいて、読み込みと書き込みとを、前記第１の領域、または前記第２の領域のどちらか一方に対してのみ行なうモードであり、
前記フレームバッファ制御部は、
前記第１の制御モードを用いていたときに、前記画像キャプチャ受付部からの前記通知があった場合、前記第２の制御モードに切り替えて、前記画像キャプチャ部に対して、使用しなくなった前記第１の領域または前記第２の領域の何れかから前記不揮発性メモリへ画像を転送させることを特徴とした、
画像表示装置。
［実施形態２］
前記フレームバッファ制御部は、
前記第２の制御モードを用いていたときに、前記画像キャプチャ受付部からの前記通知があった場合、前記第１の制御モードに、少なくとも１フレーム以上の書き込みをする間、切り替えた後、前記第２の制御モードに切り替えて、前記画像キャプチャ部に対して、使用しなくなった前記第１の領域、および前記第２の領域の何れかから前記不揮発性メモリへ画像を転送させることを特徴とした、
実施形態１記載の画像表示装置。
［実施形態３］
前記表示部は、前記画像キャプチャ部が画像の転送中であった場合、画像の転送中であることを示す表示を行なうことを特徴とした、
実施形態１または２記載の画像表示装置。
【実施例】
【００１４】
次に、本発明の実施の形態を実施例に基づき説明する。
［第１の実施例］
この第１の実施例は上記実施形態１に対応するものである。
図４は、本発明の一実施例に係る画像表示装置の構成を示すブロック図である。この表示装置は、いわゆる液晶プロジェクタを構成している。以下、ブロック図の構成を説明する。
【００１５】
図４において、４００は、入力されるアナログＲＧＢ信号を受信し、アナログデジタル変換を施し、デジタルＲＧＢ信号を出力するＡ／Ｄコンバータである。この変換を施す際、入力画像信号についてブライトネスやコントラストなどの色処理を行なう手段を有している。
【００１６】
４０１は、入力されるコンポジットＮＴＳＣ信号を受信し、デジタルＹＣｂＣｒ信号に変換するビデオデコーダである。この変換を施す際、入力画像信号についてブライトネスやコントラストなどの色処理を行なう手段を有している。
【００１７】
本実施例では、入力画像信号をコンポジットＮＴＳＣ信号および、アナログＲＧＢ信号に限定して記述しているが、本発明はこれらの信号に限定されるものではない。入力画像信号は、コンポーネント信号や、その他のビデオ信号、ＩＥＥＥ１３９４のＡＶ信号であってもよい。
【００１８】
４０２は、通常、スキャンコンバータと呼ばれているブロックである。入力されたデジタルＹＣｂＣｒ信号、およびデジタルＲＧＢ信号の何れかを、入力ソースの設定に従って選択する。選択された信号から入力画像の周波数や解像度を認識し、後述のフレームバッファ４０３へ書き込む手段を持つ。
また、フレームバッファ４０３上のデータを適切な周波数で読み取り、適切な解像度の画像信号に変換し、後述するＯＳＤ回路４０４に出力する手段を持つ。
【００１９】
なお、この書き込みと読み取りに関しては、２種類の方法がある。１つ目はダブルバッファリング方式であり、フレームバッファ４０３に２フレーム分の領域を確保して、読み書きを非同期に行なう方法である。特に、読み書きの周波数の違いによる追い越し等が発生しないように、読み書きそれぞれのフレーム周期でそれぞれのアクセス対象領域を選択する制御を行なう。つまり、フレームバッファ４０３に対する読み込みの際にフレームの途中で時間的に異なるフレームに切り替わらないように読み込み対象領域と書き込み領域とをそれぞれのフレーム周期毎に前記第１の領域および第２の領域から選択する。
【００２０】
２つ目はシングルバッファリング方式であり、フレームバッファ４０３に１フレーム分の領域を確保し、読み書きとも常にその領域に対して行なう方法である。つまり、前記第１の領域および第２の領域の一方を選択して読み書きとも常にその領域に対して行なう。
【００２１】
４０３は、入力画像および、その上にオーバーレイ表示する画像を一時的に保存する手段であるフレームバッファである。記録された入力画像は、書き込みとは非同期に前記スキャンコンバータ４０２から読み出される。また、記録されたオーバーレイ画像は、後述するＯＳＤ制御回路４０４から読み出される。入力画像の書き込みおよび読み出しは、前述のようにダブルバッファリング方式とシングルバッファリング方式により行なわれる。
【００２２】
４０４は、ＯＳＤ（Ｏｎ  Ｓｃｒｅｅｎ  Ｄｉｓｐｌａｙ）回路であり、フレームバッファ４０３よりオーバーレイ画像を読み込み、それを、スキャンコンバータ４０２から出力される画像に、設定される位置に従って上書き（オーバーレイ）処理する手段を有する。処理後、後述するＤ／Ａコンバータ４０５に上書き後の画像信号を出力する。代表的なオーバーレイ画像はメニューの画像である。
【００２３】
４０５は、Ｄ／Ａコンバータであり、ＯＳＤ制御回路４０４から出力されるデジタルＲＧＢの画像情報を、ライトバルブ駆動回路４０６を駆動するためのアナログ信号に変換し、それを出力する。
【００２４】
４０６は、ライトバルブ駆動回路である。ライトバルブ駆動回路は、４０５のＤ／Ａコンバータから出力される画像信号を元に不図示のライトバルブを駆動して画像を形成させる。ライトバルブは、例えば透過型液晶パネルや、反射型液晶パネル、またはミラーデバイスである。ライトバルブによって、不図示の光源からの光が透過、もしくは反射して、不図示のレンズデバイスを通り不図示のスクリーンに画像となって投射される。ライトバルブ駆動回路４０６は、ライトバルブ上の画像をそのまま形成させる他、左右反転、または上下反転、もしくは左右かつ上下反転を加えて形成させるようにライトバルブを駆動することが可能である。
【００２５】
４０７は、後述のマイクロコンピュータ４０９が動作するために必要なＲＡＭデバイスであり、スタックやワーク領域からなる。
４０８は、後述のマイクロコンピュータ４０９が動作するために必要なＲＯＭデバイスであり、プログラムやデータの領域からなり、また、オーバーレイ表示される画像は、圧縮、または非圧縮、もしくは、特定プログラムという形態で格納されている。
【００２６】
４０９は、図４の液晶プロジェクタ全体の制御を行なうマイクロコンピュータである。プロジェクタ機器の主な制御はメニュー遷移、およびそれに関連してデバイスの設定を行なう動作である。この詳しい制御に関しては後述する。
【００２７】
４１０は、ユーザからメニューによる設定を行なうモードへ移行する指示を受けるためのメニュースイッチである。このメニュースイッチが押下されることによって、メニュー非表示状態におけるメニュー表示状態への遷移が行なわれる。
４１１は、メニュー表示状態におけるユーザからの選択指示を受けるための選択スイッチである。この選択スイッチが押下されることによって、メニュー表示状態において値の設定や、メニュー内での状態遷移等が行なわれる。
４１２は、メニュー表示状態におけるユーザからのカーソル右移動というメニュー操作の指示を受けるための右スイッチである。
【００２８】
４１３は、メニュー表示状態におけるユーザからのカーソル左移動というメニュー操作の指示を受けるための左スイッチである。
４１４は、メニュー表示状態におけるユーザからのカーソル下移動というメニュー操作の指示を受けるための下スイッチである。
４１５は、メニュー表示状態におけるユーザからのカーソル上移動というメニュー操作の指示を受けるための上スイッチである。
４１６は、不揮発性メモリ（ＮＶＲＡＭ）デバイスであり、キャプチャされた画像データが格納される。格納された画像データはプロジェクタに電源が供給されていない状態でも保持される。
【００２９】
ここで、入力されるアナログＲＧＢ信号およびコンポジットＮＴＳＣ信号は、上記実施形態１記載の「入力画像信号」に相当する。ライトバルブ駆動回路４０６が出力するライトバルブ駆動のための信号は、上記実施形態１記載の「表示画像信号」に相当する。フレームバッファ４０３は、上記実施形態１記載の「フレームバッファ」に相当する。ＮＶＲＡＭ４１６は、上記実施形態１記載の「不揮発性メモリ」に相当する。スキャンコンバータ４０２とマイクロコンピュータ４０９は、上記実施形態１記載の「フレームバッファ制御部」に相当する。また、スキャンコンバータ４０２は、上記実施形態１記載の「画像書き込み部」および「画像読み取り部」に相当し、マイクロコンピュータ４０９は、上記実施形態１記載の「画像キャプチャ部」に相当する。スイッチ４１０〜４１５、およびマイクロコンピュータ４０９は、上記実施形態１記載の「画像キャプチャ受付部」に相当する。
【００３０】
次に本実施例の動作プロセスについて説明する。本実施例では、スキャンコンバータは通常ダブルバッファリング方式を用いたモードで動作している。
図５にメニュー画面例を示す。本実施例では、メニュースイッチ４１０を押下することにより、メニュー表示状態と非表示状態の切り替えがマイクロコンピュータ４０９により行なわれる。メニュー表示状態の時には、ＲＯＭ４０８からフレームバッファ４０３にメニュー用のオーバーレイ画像がマイクロコンピュータ４０９により転送され、ＯＳＤ回路４０４により、入力画像に重畳される形で表示される。
【００３１】
図５では、入力画像５００に対し、メニュー５０１が存在し、その中には入力ソースを選択する５０２、コントラストを変更する５０３、ブライトネスを変更する５０４、そして画面キャプチャを実行するための４０６という、４つの選択肢が存在する。またカーソルによって、これらの選択肢を選択することができ、カーソルは上スイッチ４１５、および下スイッチ４１４によって選択肢間を遷移させることができる。図５では、ブライトネスを変更させる選択肢５０４にカーソルが存在する。各選択肢を選択している状態で、選択スイッチ４１１や右スイッチ４１２、左スイッチ４１３を押下することにより、各パラメータの調整が可能である。特に、画面キャプチャの選択肢５０５を選択している状態で、選択スイッチ４１１を押下することにより、画面キャプチャ確認状態への遷移が発生する。
【００３２】
図６に画面キャプチャ確認状態の画面例を示す。この画面は前述の従来技術の例と同様である。右スイッチ４１２および左スイッチ４１３の押下により、画面キャプチャを実行する選択肢６０２、キャンセルする選択肢６０３の何れかを選択する。それぞれの選択肢で選択スイッチ４１１を押下することにより、前者であれば画面キャプチャ実行状態への遷移が、後者であればメニュー非表示状態への遷移が発生する。なお、前者の選択スイッチ４１１を押下することによって、マイクロコンピュータ４０９内部では「フレームバッファの画像を不揮発性メモリへ転送する要求」のイベントが発生する。
【００３３】
図９に画面キャプチャ実行状態の画面例を示す。この状態への遷移の際、マイクロコンピュータ４０９からスキャンコンバータ４０２に対して、ダブルバッファリング方式からシングルバッファリング方式への切り替えの指示が行なわれる。次いで、マイクロコンピュータ４０９からスキャンコンバータ４０２に対して、バッファリングに使われない側のフレームバッファの領域（非使用領域）の開始番地と終了番地の問い合わせが行なわれる。その後、マイクロコンピュータ４０９によりフレームバッファ４０３中の該非使用領域のデータを読み込み、順次ＮＶＲＡＭ４１６への書き込みを行なう。図１に上述プロセス時のフレームバッファの概要図を示す。１００がフレームバッファ全体であり、第２の領域１０２が前記非使用領域としてその領域への書き込みが停止されている。第２の領域１０２から図４のＮＶＲＡＭ４１６への画像データ転送が行なわれ、同時に第１の領域１０１においてシングルバッファリング方式で読み書きが行なわれている。従って、このとき動画が出力できる。
【００３４】
この転送が終了すると、マイクロコンピュータ４０９からスキャンコンバータ４０２に対して、シングルバッファリング方式からダブルバッファリング方式への切り替えの指示が行なわれる。全てが終了すると、メニュー非表示状態への遷移が行なわれる。このように、画面キャプチャの全プロセスを通じて、常に動画が表示されている。このように本発明を実施することができる。
【００３５】
［第２の実施例］
この第２の実施例は上記実施形態２に対応するものである。
第２の実施例として、最初はスキャンコンバータ４０２がシングルバッファリング方式で動作している場合の例も考えることができる。この場合、２フレーム分の画像がフレームバッファ４０３に書き込まれる間、スキャンコンバータ４０２をダブルバッファリング手法で動作させる。その後、第１の実施例と同様のプロセスを実施し、最終的にシングルバッファ方式のままにしておけば、本発明を実施することができる。
【００３６】
［第３の実施例］
この第３の実施例は上記実施形態３に対応するものである。
第３の実施例として上記第１および第２の実施例に加え、図１０に示すように、画面キャプチャ実行状態の画面１０００の中に、画面キャプチャ中であることを示すアイコン１００１を表示することもできる。このアイコンは、「画像の転送中であることを示す表示」に相当する。本発明は、このように実施することも可能である。
【００３７】
以上の説明のように、第１の実施例によれば、ダブルバッファリング方式で動作している画像表示装置に関して、表示画像を不揮発性メモリに転送する間、表示画像が静止画になることはない。動画が入力されていれば動画が表示され、使いやすさは向上する。
また、シングルバッファリング方式を用いている場合でも、第２の実施例に示すように、少なくとも２つの領域に画像データが書き込まれるまでの間、ダブルバッファリング方式に一時的に切り替えることにより、本発明を実現でき、上記のようなメリットが得られる。
また、第３の実施例に示すように、表示画像を不揮発性メモリに転送する間、画像の転送中であることを示す表示をすることにより、転送中に誤って電源を落とす等を防止することもできる。
【図面の簡単な説明】
【００３８】
【図１】本発明の一実施例に係る画像表示装置における、キャプチャ実行時のフレームバッファ概要図である。
【図２】本発明の実施例および従来技術における、通常時のフレームバッファ概要図である。
【図３】従来技術における、キャプチャ実行時のフレームバッファ概要図である。
【図４】本発明の一実施例に係る画像表示装置のブロック図である。
【図５】図４の装置における、メニュー画像のオーバーレイ表示時の投影画像図である。
【図６】図４の装置および従来技術における、画面キャプチャ確認状態の画面例を示す図である。
【図７】従来技術における、画面キャプチャ実行状態の画面例を示す図である。
【図８】従来技術における、画面キャプチャ終了の画面例を示す図である。
【図９】本発明の実施例における、画面キャプチャ実行状態の画面例を示す図である。
【図１０】本発明の他の実施例における、画面キャプチャ実行状態の画面例を示す図である。
【符号の説明】
【００３９】
１００，２００，３００，４０３:フレームバッファ
１０１，２０１，３０１：第１の領域
１０２，２０２，３０２：第２の領域
４００：Ａ／Ｄコンバータ
４０１：ビデオデコーダ
４０２：スキャンコンバータ
４０４：ＯＳＤ回路
４０５：Ｄ／Ａコンバータ
４０６：ライトバルブ駆動回路
４０７：ＲＡＭデバイス
４０８：ＲＯＭデバイス
４０９：マイクロコンピュータ
４１０：メニュースイッチ
４１１：選択スイッチ
４１２：右スイッチ
４１３：左スイッチ
４１４：下スイッチ
４１５：上スイッチ
４１６：不揮発性メモリデバイス
【図１】
2006171488.tif 000003
【図２】
2006171488.tif 000004
【図３】
2006171488.tif 000005
【図４】
2006171488.tif 000006
【図５】
2006171488.tif 000007
【図６】
2006171488.tif 000008
【図７】
2006171488.tif 000009
【図８】
2006171488.tif 000010
【図９】
2006171488.tif 000011
【図１０】
2006171488.tif 000012